(57)【特許請求の範囲】
【請求項１】
上方に彎曲部を有する背板（１１）と、この背板（１１）の周縁部から立設する周壁（１２）とによって胴部（１３）が形成され、
前記胴部（１３）の周壁（１２）の左右両下端にそれぞれ脚部（１４），（１４）が形成され、
この脚部（１４），（１４）の下方にはレバー式注出コック（２０）に対する固定部（１６），（１６）が形成され、
前記彎曲部上に立設された周壁（１２）は、一方に向かって漸次高く形成されると共に、この高く形成された側の周壁の外側に、前記周壁より高く突出する突出片（１５）を設けたことを特徴とする液体収納容器のレバー式注出コックのストッパー。
【発明の詳細な説明】
【０００１】
【産業上の利用分野】
本発明は、液体収納容器の注出口に取り付けて用いるレバー式注出コックのストッパーに関するものであり、詳しくは注出コックレバーが閉塞状態においてのみ注出コックに取り付けが可能となるストッパーに関する。
【０００２】
【従来の技術】
従来、この種の注出コックとしては、例えば、図４〜図７に示すような、側部に流入口（２２）を有し、下部に吐出口（２３）を有する円筒状の開口外筒本体（２１）と、上部にレバー（３１）を横方向に突出させて閉塞された円筒状の内筒（３２）とから成り、内筒（３２）を下部より外筒本体の上端開口部（２４）に嵌め込みレバー（３１）を左右に回動させることにより、内筒（３２）の側部に設けられた開口部（３４）が外筒本体の流入口（２２）と連通すると液体が排出し、この開口部（３４）が外筒本体の壁面（２５）にあると液体が排出を停止する注出コック（２０）が知られている。
また、この種の注出コックにあっては、外筒本体（２１）と液体収納容器の注出口部（図示せず）を接合する接合部（２６）との間の連結部（２７）にストッパー（５０）を嵌め込んで、誤ってレバー（３１）が動作して液体が不意に排出したりしないような構造をとっている。
【０００３】
ところがこのような従来のレバー式注出コック用のストッパーにあっては、輸送時あるいは貯蔵時におけるレバーの誤動作回避の対策はうたれているものの、注出コックが閉塞状態にある際も、開口状態にある際も一様にストッパーが装着してしまうので、誤動作のもとになるという問題があった。
【０００４】
【発明が解決しようとする課題】
本発明は、レバー式注出コック用のストッパーに関する上記のような問題点を除去するためになされたもので、注出コックが開口状態にある時は装着せず、閉塞状態にある時のみ装着するという新しいレバー式注出コック用のストッパーを提供することを目的とする。
【０００５】
【課題を解決するための手段】
本発明は上記目的を達成するために、上方に彎曲部を有する背板（１１）と、この背板（１１）の周縁部から立設する周壁（１２）とによって胴部（１３）が形成され、前記胴部（１３）の周壁（１２）の左右両下端にそれぞれ脚部（１４），（１４）が形成され、この脚部（１４），（１４）の下方にはレバー式注出コック（２０）に対する固定部（１６），（１６）が形成され、前記彎曲部上に立設された周壁（１２）は、一方に向かって漸次高く形成されると共に、この高く形成された側の周壁の外側に、前記周壁より高く突出する突出片（１５）を設けたことを特徴とする液体収納容器のレバー式注出コックのストッパーを提供するものである。
【０００６】
【作用】
上記のように本発明によれば、一方に向かって漸次高く形成された周壁の外側に、周壁より高く突出する突出片を設けたので、レバーの開閉位置によっては、ストッパーに設けた突出した突出片がレバーに妨害されて、レバーを注出コックに装着することができなくなる。
すなわち、レバーが開口状態を示している場合は、ストッパーに設けた突出した突出片がレバーに妨害されてストッパーを注出コックに装着することができなく、また、レバーが閉塞状態を示している場合には、ストッパーを注出コックに装着することができるというようにすることができる。
【０００７】
【実施例】
以下実施例により本発明を詳細に説明する。
図１（ａ）、（ｂ）に示すように本発明のレバー式注出コックのストッパー（１０）は、背板（１１）と周壁（１２）から成る胴部（１３）と、この胴部（１３）の左右両下端に設けられた脚部（１４、１４）と、周壁の外側に設けられた突出片（１５）等から構成され、ポリエチレン、ポリプロピレン等の合成樹脂素材で製造されている。
【０００８】
胴部（１３）は、上方に彎曲部を有する背板（１１）と、この背板（１１）の周縁部から立設する周壁（１２）から構成されている。
胴部（１３）の、周壁（１２）の左右両下端にそれぞれ脚部（１４、１４）が設けられ、それらの末端には互いに向き合うようにしてレバー式注出コック（２０）に対する爪状の固定部（１６、１６）が形成されている。
彎曲部上に立設された周壁（１２）は、一方に向かって漸次高く形成されると共に、この高く形成された側の周壁の外側に、この周壁より高く突出する突出片（１５）が設けられている。
なお、ストッパー（１０）の裏面は同一平面をなしている。
【０００９】
このストッパー（１０）のレバー式注出コック（２０）への装着等の取り扱いはつぎのように行う。
すなわち、図２、３に示すように、注出コック（２０）のレバー（３１）が閉塞状態にある場合には、ストッパー（１０）を外筒本体（２１）と接合部（２６）の間の連結部（２７）に嵌め込むと、胴部（１３）が連結部（２７）に載り、２本の脚部（１４、１４）は連結部（２７）の側面を挟むようにして、固定部（１６、１６）が連結部（２７）の下側で固定され、ストッパー（１０）は外筒本体（２１）と接合部（２６）の間に装着され、注出コック（２０）のレバー（３１）は動かすことができなくなる。
一方、注出コック（２０）のレバー（３１）が開口状態にある場合には、前述した閉塞状態にある場合のように、ストッパー（１０）を連結部（２７）に嵌め込もうとしても、ストッパーの突出片（１５）が注出コックのレバー（３１）に当たってしまい、ストッパー（１０）は連結部（２７）に入って行かず装着できない。従って、注出コックのレバーが開口状態にあるときにストッパーを装着するといった誤動作を皆無にすることができる。
なお、ストッパー（１０）の表裏は、同一平面をなしている裏側を接合部側に合わせることで容易に区別することができる。
【００１０】
【発明の効果】
上記のように本発明によれば、彎曲部上に立設された周壁の外側に、この周壁より高く突出する突出片を設けたので、レバーが開口状態を示している場合は、ストッパーに設けた突出片がレバーに妨害されて、ストッパーは注出コックに装着できない。このことにより、レバーが開口状態を示しているときにも、注出コックにストッパーを装着してしまうといった誤動作を防止することができる。
【図面の簡単な説明】
【図１】  （ａ）本発明の一実施例を示す正面説明図である。
（ｂ）同実施例の平面説明図である。
【図２】  注出コックのレバーが閉塞状態の時、同実施例のストッパーを注出コックに装着した状態を示す斜視説明図である。
【図３】  注出コックのレバーが開口状態の時、同実施例のストッパーを注出コックに装着しようとしている状態を示す斜視説明図である。
【図４】  注出コックの外筒本体を示す斜視説明図である。
【図５】  注出コックの内筒を示す斜視説明図である。
【図６】  内筒を外筒本体に嵌め込んで注出コックとした状態を示す斜視説明図である。
【図７】  従来例を示す斜視説明図である。
【符号の説明】
１０‥‥ストッパー
１１‥‥背板
１２‥‥周壁
１３‥‥胴部
１４‥‥脚部
１５‥‥突出片
１６‥‥固定部
２０‥‥注出コック
２１‥‥外筒本体
２２‥‥流入口
２３‥‥吐出口
２４‥‥開口部
２５‥‥壁面
２６‥‥接合部
２７‥‥連結部
３１‥‥レバー
３２‥‥内筒
３３‥‥吐出口
３４‥‥開口部
５０‥‥ストッパー
【図１】
0003731219.tif 000002
【図２】
0003731219.tif 000003
【図３】
0003731219.tif 000004
【図４】
0003731219.tif 000005
【図５】
0003731219.tif 000006
【図６】
0003731219.tif 000007
【図７】
0003731219.tif 000008